(57)【要約】荷電粒子ビームを制御する技術を開示する。１つの特定の実施態様では、その技術は荷電粒子加速／減速システムとして実現できる。荷電粒子加速／減速システムは加速段を備えてもよい。加速段は荷電粒子ビームが通過できる開口部を有する複数の電極を含んでもよい。荷電粒子加速／減速システムは前記複数の電極に電気的に結合された複数の抵抗器も備えてもよい。荷電粒子加速／減速システムは、さらに、前記複数の電極及び前記複数の抵抗器に電気的に結合された複数のスイッチを備えてもよく、前記複数のスイッチの各々は、複数の動作モードでそれぞれ選択的に切り替えられるように構成できる。
2010539656.tif 000002
【特許請求の範囲】
【請求項１】
荷電粒子ビームが通過できる開口部を有する複数の電極を含む加速段と、
前記複数の電極に電気的に結合された複数の抵抗器と、
前記複数の電極及び前記複数の抵抗器に電気的に結合された複数のスイッチと、を備え、
前記複数のスイッチの各々は、複数の動作モードでそれぞれ選択的に切り替えられるように構成される、荷電粒子加速／減速システム。
【請求項２】
加速電圧を与える第１の電源と、
減速電圧を与える第２の電源と、
前記第１の電源に電気的に結合された第１のスイッチと、
前記第２の電源に電気的に結合された第２のスイッチと、
をさらに備える、請求項１に記載の荷電粒子加速／減速システム。
【請求項３】
前記第２のスイッチは、高電圧環境で動作するように構成される、請求項２に記載の荷電粒子加速／減速システム。
【請求項４】
前記複数の抵抗器は、抵抗器の直列連鎖を構成する、請求項１に記載の荷電粒子加速／減速システム。
【請求項５】
各々のスイッチは、直列連鎖の前記複数の抵抗器の少なくとも１つに並列に電気的に接続される、請求項４に記載の荷電粒子加速／減速システム。
【請求項６】
複数のアクチュエータをさらに備える、請求項１に記載の荷電粒子加速／減速システム。
【請求項７】
各々のスイッチは、複数のアクチュエータの各１つにそれぞれ接続される、請求項６に記載の荷電粒子加速／減速システム。
【請求項８】
少なくとも１つのスイッチは加圧流体により作動し、該加圧流体は加圧空気、加圧気体及び加圧液体から成るグループから選択される、請求項１に記載の荷電粒子加速／減速システム。
【請求項９】
少なくとも１つのスイッチは電気信号により作動し、該電気信号はリレーにより送信される、請求項１に記載の荷電粒子加速／減速システム。
【請求項１０】
前記複数のスイッチの少なくとも１つは、前記連鎖の前記複数の抵抗器の少なくとも１つに直列接続され、
前記少なくとも１つの直列接続された電気スイッチ及び前記少なくとも１つの抵抗器は、前記複数の抵抗器の少なくとも他の１つに並列接続される、請求項５に記載の荷電粒子加速／減速システム。
【請求項１１】
荷電粒子ビームが通過できる開口部を有する複数の電極を含む加速段と、
複数の抵抗器アセンブリと、を備え、
各々の抵抗器アセンブリは、
支持構造の２つの電気接点間に電気的に接続され、各々の電気接点は前記複数の電極の各１つに電気的に接続された、少なくとも１つの抵抗器と、
該少なくとも１つの抵抗器に並列に前記２つの電気接点間に電気的に接続されたスイッチと、を備える、荷電粒子加速／減速システム。
【請求項１２】
前記支持構造はプリント基板である、請求項１１に記載の荷電粒子加速／減速システム。
【請求項１３】
前記複数の抵抗器アセンブリの少なくとも１つは、前記２つの電気接点間の前記スイッチに直列に電気的に接続された少なくとも１つの追加の抵抗器をさらに備える、請求項１２に記載の荷電粒子加速／減速システム。
【請求項１４】
各々のスイッチは、空気圧で制御される、請求項１１に記載の荷電粒子加速／減速システム。
【請求項１５】
各々のスイッチは、電気的に制御される、請求項１１に記載の荷電粒子加速／減速システム。
【請求項１６】
前記複数の抵抗器アセンブリの前記スイッチは、少なくとも２つのグループに分けられる、請求項１１に記載の荷電粒子加速／減速システム。
【請求項１７】
前記少なくとも２つのグループの各々のグループの前記スイッチは、通常、選択的に動作する、請求項１６に記載の荷電粒子加速／減速システム。
【請求項１８】
前記抵抗器アセンブリの各々は、高誘電強度材料中に注封される、請求項１１に記載の荷電粒子加速／減速システム。
【請求項１９】
前記高誘電強度材料は、熱伝導性のエポキシ樹脂及びシリコーンベースの化合物から成るグループから選択される、請求項１８に記載の荷電粒子加速／減速システム。
【請求項２０】
支持構造に取り付けられ、該支持構造における２つの電気接点間に電気的に接続された、少なくとも１つの抵抗器と、
前記２つの電気接点間に電気的に位置するスイッチと、を備え、
該スイッチは、
非導電性の材料から実質上構成された非導電性のセクションを有し、該非導電性のセクションの少なくとも一部は、前記支持構造における前記２つの電気接点間に位置するハウジングと、
前記ハウジング内で選択的に移動可能なシャトルであって、第１の動作モードでは、前記２つの電気接点の内の１つの電気接点に隣接した第１の位置にバイアスをかけられ、第２の動作モードでは、前記２つの電気接点間の電気的接続を確立するために、前記２つの電気接点の内の他方の電気接点に向かって移動できる、シャトルと、を備える、電気的接続をするための装置。
【請求項２１】
注封材料の層をさらに備え、
該注封材料の層は、前記支持構造、前記少なくとも１つの抵抗器及び前記スイッチを包み込む、請求項２０に記載の装置。
【請求項２２】
前記注封材料は誘電性で、熱伝導性の材料である、請求項２１に記載の装置。
【請求項２３】
前記誘電性で、熱伝導性の材料は、熱伝導性のエポキシ樹脂及びシリコーンベースの化合物から成るグループから選択される、請求項２２に記載の装置。
【発明の詳細な説明】
【技術分野】
【０００１】
本発明は、一般的に半導体の製造に関し、特に、荷電粒子ビームを制御する技術に関する。
【背景技術】
【０００２】
イオン注入は、基板に高エネルギーイオンを直接照射することにより、基板内に化学種を堆積させるプロセスである。半導体の製造に当っては、イオン注入装置が主として、ターゲット材料の導電型及びレベルを変えるドーピング処理用に用いられる。集積回路（IC）基板及びその薄膜構造における正確なドーピングプロファイルが、ICの適切な性能にとって重要となることが多い。所望のドーピングプロファイルを達成するために、１つ以上のイオン種を異なるドーズで、且つ、異なるエネルギーレベルで注入することができる。
【０００３】
半導体ウェーハにデバイスを形成するには、通常、半導体ウェーハの異なる深さに不純物を注入する必要がある。半導体ウェーハに向けられるイオンビーム中の不純物のエネルギーは、不純物が半導体ウェーハに入り込む深さを決定する。デバイスのサイズが縮小され、その動作速度が増加するにつれて、例えば、半導体ウェーハに浅いトランジスタの接合を形成するために、非常に低エネルギーのイオンビームを用いることが所望されるようになった。
【０００４】
同時に、高エネルギーのイオン注入は、例えば、限定はされないが、半導体ウェーハをマスキングしなければならない、といったような従来のいくつかの処理を実行する必要がないので、製造コストを最小限に抑えるのに役立つ。また、高エネルギーイオンの注入の使用により製造される半導体デバイスは、比較的低レベルの接合漏れ及び改良されたラッチアップ特性を示すことができる。従って、高エネルギーのイオン注入により実行されるイオン注入処理によって、生産収率を高くできる。それ故に、高エネルギーのイオン注入は、半導体デバイスの製造プロセスにおけるイオン注入用に広く用いられている。
【０００５】
図１は、従来技術のイオン注入システム１００を示す。このイオン注入システム１００は、イオン源１０２と、イオンビーム１０が通過する一連の複合構成要素とを備える。一連の構成要素は、例えば、抽出マニピュレータ１０４、フィルタ磁石１０６、加速又は減速段１０８、アナライザ磁石１１０、回転質量スリット１１２、スキャナ１１４及び補正磁石１１６を含む。イオン源１０２、抽出マニピュレータ１０４及びフィルタ磁石１０６は、ターミナル１１８内に収納できる。光ビームを操作する一連の光学レンズによく似て、イオン注入装置の構成要素は、イオンビーム１０を、最終ステーション１２０の方へ導く前に、フィルタにかけて集束させることができる。イオンビーム１０をフィルターにかけ集束させることができるイオン注入装置の構成要素は、光学要素又はビーム光学要素と呼ぶことができる。
【０００６】
加速又は減速段１０８は、イオン注入システム１００には不可欠な構成要素である。イオンビームに必要なエネルギーレベルの範囲は広くできるので（例えば、約１ｋVから６００ｋV以上）、加速又は減速段１０８は、イオンを広い電圧スペクトル（例えば、約１ｋVから６００ｋV以上）に加速又は減速するために必要となり得る。
【発明の概要】
【発明が解決しようとする課題】
【０００７】
従来の方法では、抵抗分割器を用いて、イオンビームを加速又は減速段１０８に沿って徐々に加速（加速ポテンシャルを分割）又は減速（減速ポテンシャルを分割）することができる。すなわち、１つ以上の抵抗器を加速又は減速段１０８に沿って、隣接する電極間に電気的に接続することができる。このようにして、複数の抵抗器は、抵抗器の連鎖を形成する。加速又は減速段１０８の各電極は、抵抗器の連鎖に沿う所定の電気接点に電気的に接続することができる。従って、加速電圧又は減速電圧は抵抗器により分配できる。加速又は減速段１０８に沿う電圧の分配をグレーディングと呼ぶことができる。動作電圧スペクトルがより広くなり、上位の電圧がより高くなるにつれて、従来の抵抗分割器は少なくとも２つの問題がある。
【０００８】
広い電圧範囲のイオン注入での従来の抵抗分割器に対する第１の問題は、バラスト（ballast）電流に関する。従来の抵抗分割器を通って流れる電流は、分割電流と呼ぶことができる。分割電流は、加速又は減速段１０８の電極間の電圧ギャップの維持を容易にすることができるので、バラスト電流と呼ぶこともできる。
【０００９】
高エネルギー加速の場合には、ビーム剛性を高くすることができる。すなわち、ビームを偏向させるために必要な磁力又は静電気力の量を大きくできる。高エネルギー加速のモードでは、イオンビームのほとんどのイオンは、イオンビームが進む方向からそれないで、加速又は減速段１０８の電極の開口部を通過することになる。イオンは荷電粒子であるため、イオンの輸送はイオンビーム電流にさせることができる。従って、高エネルギー加速の場合には、加速又は減速段１０８の電極によって、イオンはほとんどインターセプトされない。イオンビーム電流は、損失がほとんどない。イオンビームは良好に集束され、安定な動作を達成できるので、電極が帯電することはない。従って、分割抵抗器の連鎖を通って流れる分割電流を比較的低くできるが（例えば、数百マイクロアンペア）、それでも加速又は減速段１０８の電極間に電圧ギャップが維持される。それ故に、高エネルギー加速にとっては、比較的低いバラスト電流を必要とすることがある。
【００１０】
加速電圧が降下すると（例えば、低位から中位のエネルギー加速又は減速）、分割電流は低マイクロアンペアになる（すなわち、V/Rが低くなる）。この場合、この低電流がグレーディングを行うことになる。しかしながら、高エネルギー加速に比べて、ビーム剛性も低くなる。すなわち、高エネルギーモードの動作に比べて、より多くのイオンがイオンビームからそれて、加速又は減速段１０８の電極によってイオンがインターセプトされることになる。場合によっては、イオンビームは、加速又は減速段１０８の電極によってインターセプトされる二次のイオン／電子を生成することになる。十分なイオン／電子が加速又は減速段１０８の電極によってインターセプトされると、ラッチアップが発生する。すなわち、分割電流は、２つの電極間に電圧ギャップを維持するのには不十分となり、電圧崩壊を生じ得る。ラッチアップは、集束劣化を生じさせ、結局は、イオン／電子流から電圧を変える加速又は減速段１０８の電極により、回復不能な状況に至る。非常に似た不安定性が、減速の場合にも生じたりする。
【００１１】
一般的に、イオンビームエネルギーが低くなるにつれて、抵抗器の連鎖を通って流れる電流は高くする必要がある。従って、低エネルギー加速及び減速に対しては、高エネルギー加速に対するよりも、遥かに高いバラスト電流を必要とすることになる。これは、線形単一の抵抗器連鎖を用いるだけでは実際上達成不可能である。例えば、ビームが低エネルギーであれば、オームの法則により、低い抵抗は十分な電流を維持することになる（I＝V/R）。しかしながら、ビームが高エネルギーであれば、高い電圧が必要となる。電流及び電圧が共に高ければ、発生する電力は高くなる（P＝IV＝I2R＝V2/R）。高い電流は多くの熱を発生する。抵抗器は極めて熱くなり、それらの抵抗値は変化する。
【００１２】
上記課題の１つの可能な解決策は、低エネルギーの加速及び減速用に抵抗値が低い異なる抵抗器の連鎖を選択するスイッチを用いることである。これらのスイッチは、電気的に作動させることができ、電気スイッチと呼ぶ。電気スイッチは例えば、リレーにより作動できる。また、スイッチは、加圧流体により投入でき、このスイッチを油圧／空気圧スイッチと呼ぶ。この油圧／空気圧スイッチは、誘電材料製のダクト（例えば、ポリテトラフルオロエチレン（PTFE）送気管）内の加圧媒体により作動できる。しかしながら、低い抵抗値の抵抗器の場合には、バラスト電流が、通常、非常に高くなり、抵抗器に多くの熱を発生し、過熱及び熱破損をもたらす可能性がある。このようなことが起こらないようにするために、加速電圧に応じて適切なスイッチング順序を選択できる。
【００１３】
イオン注入用の広い電圧範囲での、従来の抵抗分割器に対する第２の問題は、高い電界応力に関連し、各抵抗器はそれに対し保護する必要がある。高エネルギーモードでは、高加速電圧（例えば、６５０ｋV以上）を抵抗器の連鎖に分配できる。リード接続又はフェルール接続のような抵抗器の導電性材料は、高い電界応力のために、遮蔽する必要がある。そのような遮蔽は、以前は、抵抗器の連鎖を、高誘電強度材料（例えば、SF６ガス）で満たすことのできる加圧容器に入れることにより実現していた。しかしながら、そのような構成で、抵抗器の連鎖に役立てるには、加圧容器を空にする必要があり、これには時間がかかり、大きな労働力を要するため、容易なことではない。
【００１４】
前述を考慮して、イオン注入装置用の加速又は減速荷電粒子ビームを制御する現在の技術に関連して、顕著な課題と欠点があることが理解できる。
【課題を解決するための手段】
【００１５】
荷電粒子ビームを制御する技術を開示する。１つの特定の実施態様では、その技術は荷電粒子加速／減速システムとして実現できる。荷電粒子加速／減速システムは加速段を備えてもよい。加速段は荷電粒子ビームが通過できる開口部を有する複数の電極を含んでもよい。荷電粒子加速／減速システムは前記複数の電極に電気的に結合された複数の抵抗器も備えてもよい。荷電粒子加速／減速システムは、さらに、前記複数の電極及び前記複数の抵抗器に電気的に結合された複数のスイッチを備えてもよく、前記複数のスイッチの各々は、複数の動作モードでそれぞれ選択的に切り替えられるように構成されてもよい。
【００１６】
この特定の実施態様の他の側面により、荷電粒子加速／減速システムは、加速電圧を与える第１の電源と、減速電圧を与える第２の電源と、前記第１の電源に電気的に結合された第１のスイッチと、前記第２の電源に電気的に結合された第２のスイッチと、をさらに備えてもよい。前記第２のスイッチは、高電圧環境で動作するように構成されてもよい。
【００１７】
この特定の実施態様のさらなる側面により、前記複数の抵抗器は、抵抗器の直列連鎖を構成してもよい。各々のスイッチは、直列連鎖の前記複数の抵抗器の少なくとも１つに並列に電気的に接続されてもよい。前記複数のスイッチの少なくとも１つは、前記連鎖の前記複数の抵抗器の少なくとも１つに直列接続されてもよい。前記少なくとも１つの直列接続された電気スイッチ及び前記少なくとも１つの抵抗器は、前記複数の抵抗器の少なくとも他の１つに並列接続されてもよい。
【００１８】
この特定の実施態様の追加の側面により、荷電粒子加速／減速システムは、複数のアクチュエータをさらに備えてもよい。各々のスイッチは、複数のアクチュエータの各１つにそれぞれ接続されてもよい。
【００１９】
この特定の実施態様のなお、さらなる側面により、少なくとも１つのスイッチは加圧流体により作動し、該加圧流体は加圧空気、加圧気体及び加圧液体から成るグループから選択されてもよい。
【００２０】
この特定の実施態様のなお追加の側面により、少なくとも１つのスイッチは電気信号により作動し、該電気信号はリレーにより送信されてもよい。
【００２１】
別の特定の実施態様で、その技術は荷電粒子加速／減速システムとして実現できる。荷電粒子加速／減速システムは加速段を備えてもよい。加速段は荷電粒子ビームが通過できる開口部を有する複数の電極を含んでもよい。荷電粒子加速／減速システムは複数の抵抗器アセンブリも備えてもよい。各々の抵抗器アセンブリは、少なくとも１つの抵抗器を備えてもよい。前記少なくとも１つの抵抗器は、支持構造の２つの電気接点間に電気的に接続されてもよい。各々の電気接点は前記複数の電極の各１つに電気的に接続されてもよい。各々の抵抗器アセンブリは、さらにスイッチを備えてもよい。前記スイッチは、前記少なくとも１つの抵抗器に並列に前記２つの電気接点間に電気的に接続されてもよい。
【００２２】
この特定の実施態様の他の側面により、前記支持構造はプリント基板であってもよい。前記複数の抵抗器アセンブリの少なくとも１つは、前記２つの電気接点間の前記スイッチに直列に電気的に接続された少なくとも１つの追加の抵抗器をさらに備えてもよい。
【００２３】
この特定の実施態様のさらなる側面により、各々のスイッチは、空気圧で制御されてもよい。
【００２４】
この特定の実施態様の追加の側面により、各々のスイッチは、電気的に制御されてもよい。
【００２５】
この特定の実施態様のなお他の側面により、前記複数の抵抗器アセンブリの前記スイッチは、少なくとも２つのグループに分けられてもよい。前記少なくとも２つのグループの各々のグループの前記スイッチは、通常、選択的に動作してもよい。
【００２６】
この特定の実施態様のなお、さらなる側面により、前記抵抗器アセンブリの各々は、高誘電強度材料に埋め込まれてもよい。前記高誘電強度材料は、熱伝導エポキシ樹脂及びシリコンをベースにした化合物から成るグループから選択されてもよい。
【００２７】
さらに別の特定の実施態様で、その技術は電気的接続をするための装置として実現できる。前記装置は、支持構造に取り付けられた少なくとも１つの抵抗器を備えてもよい。前記少なくとも１つの抵抗器は、前記支持構造における２つの電気接点間に電気的に接続されてもよい。前記装置は、前記２つの電気接点間に電気的に位置するスイッチも備えてもよい。前記スイッチは、非導電性の材料から実質上構成された非導電性のセクションを有するハウジングを備えてもよい。前記非導電性のセクションの少なくとも一部は、前記支持構造における前記２つの電気接点間に位置してもよい。前記スイッチは、前記ハウジング内で選択的に移動可能なシャトルをさらに備えてもよい。前記シャトルは、第１の動作モードでは、前記２つの電気接点の内の１つの電気接点に隣接した第１の位置にバイアスをかけられてもよく、第２の動作モードでは、前記２つの電気接点間の電気的接続を確立するために、前記２つの電気接点の内の他方の電気接点に向かって移動できてもよい。
【００２８】
この特定の実施態様の他の側面により、前記装置は注封材料の層をさらに備えてもよい。前記注封材料の層は、前記支持構造、前記少なくとも１つの抵抗器及び前記スイッチを包み込んでもよい。さらに、前記注封材料は誘電性で、熱伝導性の材料であってもよい。前記誘電性で、熱伝導性の材料は、熱伝導性のエポキシ樹脂及びシリコーンベースの化合物から成るグループから選択されてもよい。
【００２９】
本開示を、添付図面に示す実施形態を参照して詳細に説明する。本開示は以下に実施形態を参照して説明されるが、本開示はそれらに限定されないと理解すべきである。本教示にアクセスする当業者は、追加の実行、修正及び実施形態を認めるほかに、ここに説明される本開示の範囲内にあり、それに関して本開示が顕著な有用性を有する他の使用分野も認める。
【００３０】
本開示をより十分に分かりやすくするために、同様の要素は同様の番号で参照される添付図面を参照する。これらの図面は本開示を限定するものと解釈されるべきではなく、例示を意味しているにすぎない。
【図面の簡単な説明】
【００３１】
【図１】従来技術のイオン注入システムを示す図である。
【図２】本開示の一実施形態による荷電粒子加速／減速システムの概略図である。
【図３Ａ】本開示の一実施形態による抵抗器アセンブリの概略図である。
【図３Ｂ】本開示の一実施形態による抵抗器アセンブリの概略図である。
【図４Ａ】本開示の一実施形態による支持構造上の抵抗器アセンブリの概略図である。
【図４Ｂ】本開示の一実施形態による支持構造上の抵抗器アセンブリの概略図である。
【発明を実施するための形態】
【００３２】
図２は、本開示の一実施形態によるイオン注入装置の荷電粒子加速／減速システム２００の概略図である。当業者には当然のことながら、イオンビーム１０、イオン源１０２、ターミナル１１８並びに加速又は減速段１０８のみを、図２に組み入れている。その結果、図２のこれらの要素は、図１の対応する要素に関連して、理解すべきである。
【００３３】
図２を参照するに、荷電粒子加速／減速システム２００において、イオンビーム１０はイオン源１０２から取り出すことができる。イオン源１０２は引き出し電源２２４に関係している。引き出し電源２２４は、ターミナル１１８に対してイオン源１０２用の正電圧を供給できる。イオン源１０２は、減速スイッチ２１６及び減速電源２１４により、接地２３０から分離できる。イオン源１０２は、また、引き出し電源２２４、加速スイッチ２１２及び加速電源２１０により、接地２３０から分離できる。ターミナル１１８は、加速スイッチ２１２及び加速電源２１０により、接地２３０から分離できる。なお、本開示による荷電粒子加速／減速システムは、イオンビームを加速及び／又は減速できる。
【００３４】
取り出されたイオンビーム１０は、その後、ターミナル１１８のアパーチャを通過して、図２に示す加速又は減速段１０８に入ることができる。加速又は減速段１０８は、複数の電極２３２により図２に概略的に示してある。複数の電極２３２は、開口部２４０を有している相隔たる導電性のプレートとすることができる。図２の実施形態では、複数の電極２３２は、電極２３２a、２３２b、２３２c、２３２d、２３２e、２３２f及び２３２gを含む。イオンビーム１０は、特定のエネルギーレベルへ加速又は減速でき、その後、加速又は減速段１０８から離れる。
【００３５】
加速電源２１０により供給される正電圧は、抵抗器の連鎖２２０及び油圧／空気圧スイッチ又は電気スイッチの連鎖２０２により電極２３２に印加して、加速電圧に応じてビーム光学素子を操作することができる。図２の実施形態では、抵抗器の連鎖２２０は、抵抗器２２０a、２２０b、２２０c、２２０d、２２０e、２２０f及び２２０gを含む。抵抗器２２０に並列のスイッチの連鎖２０２は、スイッチ２０２a、２０２b、２０２c、２０２d、２０２e、２０２f及び２０２gを含む。抵抗器及びその対応するスイッチは、グレーディング抵抗器アセンブリと呼ぶことができる。従って、加速電圧を７つの等しい電位に分けるために、荷電粒子加速／減速システム２００には、７つの抵抗器アセンブリを示してある。なお、本開示による他の実施形態では、抵抗器２２０が同じ抵抗値を持たないで、電圧を同等に分けないようにすることができる。さらに、図２に示すように、スイッチの連鎖２０２は３つのグループに分けることができる。スイッチ２０２a、２０２b、２０２c及び２０２dは制御ケーブル２５２に接続することができる。スイッチ２０２e及び２０２fは制御ケーブル２５４に接続することができる。スイッチ２０２gを制御ケーブル２５６に接続できる。従って、７つの抵抗器アセンブリを制御ケーブル２５２、２５４及び２５６により選択制御できる。抵抗器アセンブリの連鎖を、本開示では、電圧グレーディング抵抗器アセンブリ連鎖と呼ぶことができる。また、制御ケーブルの各々を、本開示では、アクチュエータと呼ぶことができる。
【００３６】
荷電粒子加速／減速システム２００の一実施形態では、後述するように、スイッチ２０２の各々を加圧空気、加圧気体又は加圧液体により作動できる。従って、アクチュエータの各々は、誘電材料で作った加圧送気管（例えば、PTFE送気管）とすることができ、加圧空気、加圧気体又は加圧液体によりスイッチを作動させることができる。
【００３７】
荷電粒子加速／減速システム２００の別の実施形態では、スイッチ２０２の各々を電気的に作動できる。従って、アクチュエータの各々は、電気信号（例えば、リレー）の送信によりスイッチを作動できる。
【００３８】
荷電粒子加速／減速システム２００は、イオンビームに対し広範囲のエネルギーレベル（例えば、単一の荷電粒子に対し１kV から約７５０kV）を達成するように設計する。広範囲のエネルギーレベルは、荷電粒子加速／減速システム２００の複数の動作モードにより達成できる。複数の動作モードは、以下に詳細に説明するように、減速スイッチ２１６、加速スイッチ２１２、グレーディング抵抗器アセンブリのスイッチ２０２、引き出し電源２２４、減速電源２１４及び加速電源２１０を連携して作動させることにより、与えることができる。さらに、選択的に制御される７つの抵抗器アセンブリは、加速エネルギー又は減速エネルギーに従って、電極２３２間の抵抗値を選択的に変化させるのに役立てることができ、これにより、以下に詳細に説明するように、バラスト電流をそれ相応に維持する。
【００３９】
例えば、第１の模範的な動作モードでは、荷電粒子加速／減速システム２００は、中エネルギーレベルから高エネルギーレベルまで（例えば、８０kVから６２５kVまで）を達成するように動作できる。この動作モードでは、減速スイッチ２１６を切ったままにし、加速スイッチ２１２を入れることができる。イオンビーム１０は、引き出し電源２２４により与えられる正の引き出し電圧によって、取り出すことができる。加速電源２１０は、ターミナル１１８と接地２３０との間に正電圧を与えることができる。従って、最初の抽出エネルギーを得た後に、イオンビーム１０を、電極２３２により、さらに、加速できる。この動作モードを、本開示では、加速モードと呼ぶことができる。
【００４０】
加速動作モードでは、加速電源２１０は、例えば、ほぼ６７０kV程度の高い正電圧だが、これに限定されない高い正電圧を供給できる。この加速動作モードを、本開示では、高ビームエネルギー加速動作モードと呼ぶことができる。高ビームエネルギー加速動作モードでは、減速スイッチ２１６は、本動作モードのイオン源１０２と接地２３０との間に６７０kV以上の電圧ギャップ（例えば、引き出し電圧及び加速電圧）を維持するように、設計できる。
【００４１】
また、加速動作モードでは、イオンビーム１０の所望のエネルギーレベルを、エネルギーレベル範囲の下限とし、それにより、加速電源２１０によって供給される正電圧を低くすることができる。この加速動作モードを、低エネルギービーム加速動作モードと呼ぶことができる。先述したように、ある特定の状況では、イオンビームの剛性が低くなるため、電極２３２が、イオン又は二次イオン／電子をインターセプトすることがある（例えば、ビーム衝突）。従って、この加速動作モードでは、電極２３２間に低エネルギーの電位勾配を維持するために、より高いバラスト電流を必要とする。
【００４２】
すでに述べたように、多数の加速モードを提供するために、スイッチ２０２を選択的に入れることができる。しかしながら、１つ以上の電極をターミナルに接地する際に、接地された電極に対するバラスト電流は、加速電源２１０の電流能力により規定されることになる。ターミナルに近接する接地された電極は、非常に高いバラスト電流を有することができる（例えば、加速電源２１０の電流能力に近い）。これらの電極に対して、ビーム衝突により引き起こされる電流は、問題にならない。さらに、残りの電極は、それらの電極間の電圧降下が高くなる。従って、残りの電極に対するバラスト電流も高くなる。
【００４３】
例えば、１つの模範的な動作モード例では、抵抗器２２０及びスイッチ２０２によって、７ギャップの加速モードを提供できる。この７ギャップの加速モードでは、全てのスイッチ２０２を切り、従って、加速電源２１０により与えられる電圧を、抵抗器の連鎖２２０を経由して電極２３２間に分配させることができる。この加速モードは、加速電源２１０により与えられる正電圧が十分に高くて、イオンビーム１０が高いビーム剛性を有し、バラスト電流が大きな問題にならない際に、用いることができる。バラスト電流は低くできるが、イオンビーム電流の５〜１０％以下にはできない。抵抗器２２０の各々の抵抗値は高くして（例えば、１００MOhm又は１５０MOhm）、電力を十分に低くできる比較的低いバラスト電流にすることができる。なお、バラスト電流（I＝V/R）と生成される電力（P＝IV）との間で兼ね合いを取ることができる。製品の安全性の観点から、構成要素は６０℃以上にしてはいけない。
【００４４】
別の例では、抵抗器２２０及びスイッチ２０２によって、３ギャップの加速モードを提供できる。この３ギャップの加速モードでは、アクチュエータ２５２によってスイッチ２０２a、２０２b、２０２c及び２０２dを入れることができる。残りのスイッチ２０２e、２０２f及び２０２gは切ったままにする。従って、電極２３２a、２３２b、２３２c及び２３２dは、ターミナル１１８に電気的に短絡される。さらに、加速電源２１０により与えられる正電圧は、電極２３２e、２３２f及び２３２gにわたって広げられる。加速電源２１０により与えられる低い正電圧を、少数の電極間に印加することにより、より高いバラスト電流を達成できる。従って、抵抗器２２０e、２２０f及び２２０gを流れる比較的高いバラスト電流を達成できる。この動作モードは、加速電源２１０により与えられる正電圧が低く、イオンビーム１０が低いビーム剛性を有する際に、用いることができる。
【００４５】
さらに別の例では、抵抗器２２０及びスイッチ２０２によって、１ギャップの加速モードを提供できる。１つのギャップの加速モードでは、アクチュエータ２５２によってスイッチ２０２a、２０２b、２０２c及び２０２dを入れると共に、アクチュエータ２５４によってスイッチ２０２e及び２０２fを入れることができる。残りのスイッチ２０２gは切ったままにする。従って、電極２３２a、２３２b、２３２c、２３２d、２０２e及び２０２fは、ターミナル１１８に電気的に短絡される。さらに、加速電源２１０により与えられる正電圧は、電極２３２fと電極２３２gとの間に印加される。この動作モードでは、加速電源２１０が大きい電流を供給でき、電極２３２f及び２３２gでのイオン／電子のインターセプトにより生じる電流は、電圧ギャップに影響を及ぼすことはない。
【００４６】
第２の模範的な動作モードでは、荷電粒子加速／減速システム２００は、低エネルギーレベルから中エネルギーレベルまで（例えば、４０kVから８０kVまで）を達成するように、動作できる。この動作モードでは、減速スイッチ２１６を切ったままにし、加速スイッチ２１２を入れることができる。イオンビーム１０は、引き出し電源２２４により与えられる正の引き出し電圧によって取り出すことができる。加速電源２１０は、０Vを供給するようにプログラムするか、又は、切ることができる。従って、最初の抽出エネルギーを得た後に、イオンビーム１０は、さらなる加速又は減速をされることなく（例えば、イオンビーム１０のエネルギーに変化はなし）、電極２３２を経てドリフトしたりする。この動作モード例を、本開示では、ドリフトモードと呼ぶことができる。
【００４７】
このドリフト動作モードでは、加速電源２１０は、０Vを供給するようにプログラムするか、又は、切ることができるため、イオンビームのエネルギーは、イオン源１０２と接地２３０との間の引き出し電源２２４により与えられる引き出し電圧のみに依存し得る。さらに、アクチュエータ２５２、２５４及び２５６はスイッチ２０２の全てを入れることができる。そこで、電極２３２の全てを接地でき、イオン又は二次イオン／電子のインターセプトのせいで電極に蓄積される電荷はない。電極に衝突するイオンビームからの電流はあり得るが、この電流は抵抗器２２０を通らずに接地２３０へ直接流れる。ドリフト動作モードでは、バラスト電流に顕著な制限はない。
【００４８】
第３の模範的な動作モードでは、荷電粒子加速／減速システム２００は、抽出エネルギーより低いイオンエネルギー（例えば、１kVから４０kVまで）を達成するように、動作できる。この動作モードでは、減速スイッチ２１６を入れ、加速スイッチ２１２を切ったままにできる。イオンビーム１０は、引き出し電源２２４により与えられる正の引き出し電圧によって取り出すことができる。減速電源２１４は、引き出し電源２２４により与えられる正電圧より低い正の電圧を供給できる。従って、ターミナル１１８を接地２３０に対し負の電圧にセットできる。そのため、最初の抽出エネルギーを得た後に、イオンビーム１０は、電極２３２により減速できる。イオンビーム１０の最終エネルギーは、減速電源２１４の設定により決定できる。例えば、引き出し電源２２４は６０kVの正電圧を供給でき、減速電源２１４は４０kVの正電圧を供給できる。減速電源２１４は接地２３０に対する電圧を供給するために、イオン源１０２は接地２３０に対して４０kVにできる。引き出し電源２２４により供給する６０kVの正電圧は、イオン源１０２とターミナル１１８との間に与えることができる。従って、ターミナル１１８は接地２３０に対し２０kVの負電圧を有することができる。この２０kVの負電圧を電極２３２に印加して、イオンビーム１０のイオンの進行方向とは反対方向に電界を生成させることができる。そのため、イオンビーム１０は電極２３２により減速される。この動作モード例を、本開示では、減速モードと呼ぶことができる。
【００４９】
減速動作モードでは、所望のエネルギーレベルを低くし（例えば、２kVから４０kVまで）、それにより、ターミナル１１８と接地２３０との間に印加する電圧を低くできる（例えば、前例では２０kV）。先述の通り、ある特定の状況では、ビーム剛性が低いため、電極２３２は、イオン又は二次イオン／電子をインターセプトすることがある。従って、この減速動作モードでは、電極２３２間に電位勾配を維持するために、より高いバラスト電流を必要とする。さらに、多数の減速モードを提供するために、スイッチ２０２を選択的に入れることができる。そのため、ターミナル１１８と接地２３０との間の電圧を抵抗器２２０のサブセットに印加することができる（例えば、１ギャップの減速を用いることができる）。高いバラスト電流を達成できる。
【００５０】
荷電粒子加速／減速システム２００では、図２に７つの電極及び７つの抵抗器アセンブリを示す。本開示による荷電粒子加速／減速システムの別の実施形態では、異なる数の電極及び異なる数の抵抗器アセンブリを用いることができる。抵抗器アセンブリの数は電極の数と一致させる必要はない（例えば、隣接する電極は、ビーム光学素子が要求するならば、同じ電圧に接続できる）。抵抗器アセンブリの数は、用いる最大電圧、及び、例えば、限定されないが、有効なビーム光学素子（例えば、加速及び減速段１０８を通るハイビームの走過）、グレーディング抵抗器アセンブリ当たりの電気的ストレス並びに高電力及び高電圧抵抗器の可用性と云ったような他の要因に依存する。
【００５１】
また、荷電粒子加速／減速システム２００では、各々の抵抗器アセンブリは、１つの抵抗器を備えるように示される。本開示による荷電粒子加速／減速システムの別の実施形態では、各々の抵抗器アセンブリは、２つの電気接点の間に、多くの抵抗器を備えることができる。例えば、そのような抵抗器アセンブリの実施形態を図３Ａ及び図３Ｂに示し、以下に詳細に説明する。
【００５２】
さらに、荷電粒子加速／減速システム２００では、抵抗器２２０の各々は等しい抵抗値を有することができる。なお、本開示による荷電粒子加速／減速システムの別の実施形態では、抵抗器２２０の各々は所望の抵抗値を有することができる。抵抗器２２０の各々に対する所望の抵抗値は、同じにする必要はない。
【００５３】
さらに、荷電粒子加速／減速システム２００では、７つの抵抗器アセンブリが、３つのアクチュエータにより制御されることを示している。本開示による荷電粒子加速／減速システムの別の実施形態では、抵抗器アセンブリの各々のスイッチは、それぞれ、アクチュエータにより制御できる。さらに別の実施形態では、スイッチは、それぞれ、異なる数のグループで制御でき、各々のグループは異なる数のスイッチを有することができる。
【００５４】
図３Ａ及び図３Ｂは、本開示の一実施形態による２つの動作モードにおける模範的な抵抗器アセンブリ３００を示す。抵抗器アセンブリ３００は、本開示による荷電粒子加速／減速システムの一実施形態で用いることができる。例えば、抵抗器アセンブリ３００は、荷電粒子加速／減速システム２００で用いることができる。抵抗器アセンブリ３００は、図２でのターミナル１１８と第１の電極２３２ａとの間に設置でき、又は、任意の２つの隣接する電極間に設置できる。すなわち、電気接点３２２及び３３２はターミナル１１８及び第１の電極２３２ａに接続でき、又は、任意の２つの電極に接続できる。それにより、荷電粒子加速／減速システム２００の加速又は減速動作モードに対して、電圧ギャップを維持できる。
【００５５】
図３Ａには、本開示の一実施形態による第１の動作モードにおける模範的な抵抗器アセンブリ３００を示してある。図３Ａに示すように、この第１の動作モードでは、スイッチ３１０は切られている。すなわち、スイッチ３１０のハウジング３１４内のシャトル３１２は、第１の電気接点３１８に接続されるが、ハウジング３１４内の絶縁材により第２の電気接点３１６から離される。絶縁材は、ハウジング３１４の２つの遠位端の２つのキャップ３２０ａ及び３２０ｂにより、ハウジング３１４内に維持できる。絶縁材は、空気又は高誘電強度ガス（例えば、SF6）又は液体（例えば、液体シリコーン）とすることができる。ハウジング３１４の少なくとも一部分は、シャトル３１２が電気接点３１６と接触しない際には、２つの電気接点３１６及び３１８が接続されないように、非導電性材料から作ることができる。
【００５６】
電気接点３１６は、２つの抵抗器３０４ａ及び３０４ｂを経由して、電気接点３２２に接続できる。抵抗器３０４ａ及び３０４ｂは、図示のように、直列接続できる。電気接点３１８は、３つの抵抗器３０４ｃ、３０４ｄ及び３０４ｅを経由して、電気接点３３２に接続できる。抵抗器３０４ｃ、３０４ｄ及び３０４ｅは、図示のように、直列接続できる。
【００５７】
スイッチ３１０が切られている第１の動作モードでは、抵抗器３０４を通って流れる電流はなく、電気接点３２２と３３２との間の電圧差は、開放スイッチ３１０により維持される。従って、荷電粒子加速／減速システム２００が、高エネルギーレベル用の加速モードで動作している際には、スイッチ３１０により維持される高電圧（例えば、１１２kV）が存在し得る。そのため、スイッチ３１０は、限定はされないが、例えば、その全てを参照することにより本明細書に組み込まれるHellerに特許された米国特許第6,717,079号に記載されたスイッチのような、高電圧環境に適する電気スイッチ又は油圧／空気圧スイッチとすることができる。
【００５８】
さらに、スイッチ３１０が切られている第１の動作モードでは、電気接点３２２と３３２との間の電圧差が、抵抗器３０２の連鎖間に分配される。抵抗器３０２a、３０２b、３０２c、３０２d及び３０２eは、高位から中位のエネルギー範囲で、及び、例えば、抵抗器アセンブリ当たり約７５Mohmから２００Mohmの抵抗値で用いることができる。
【００５９】
本開示の実施形態による抵抗器アセンブリの別の実施形態では、抵抗器３０４の並列／直列組み合わせを、バラスト電流の要件に応じて、用いることができる。
【００６０】
本開示の実施形態による抵抗器アセンブリのさらに別の実施形態では、２つ以上の抵抗器を並列にし、並列の抵抗器のグループを電気接点３２２と３３２との間に連鎖にできる。
【００６１】
本開示の実施形態による抵抗器アセンブリのなお別の実施形態では、電気接点３２２と３３２との間に単一の抵抗器を使用できる。例えば、単一の抵抗器は、約１０から１００Mohmの抵抗値、３０から１００kVの定格電圧及び１５から１００Wの定格電力の金属酸化物高電圧抵抗器とすることができる。
【００６２】
図３Ｂには、本開示の実施形態による第２の動作モードにおける抵抗器アセンブリ３００の例を示してある。図３Ｂに示すように、第２の動作モードでは、スイッチ３１０は電気接点３１６と３１８とを接続する。すなわち、シャトル３１２は、絶縁材に渡って延在して、電気接点３１６につながる。Hellerの特許に記載されているように、シャトル３１２を、加圧ガスにより加圧して絶縁材を横切って動かすことができる。
【００６３】
先述の通り、荷電粒子加速／減速システム２００が低エネルギー加速又は減速動作モードで動作する際には、ターミナル１１８と電極２３２との間の電圧ギャップを低く維持しなければならないことがある。このような状況にて、電気接点３２２と３３２との間に十分なバラスト電流で、低電圧ギャップを維持するために、抵抗器アセンブリ３００を用いることができる。十分なバラスト電流は、抵抗器３０４を、例えば、抵抗器アセンブリ当たり２０Mohmから４０Mohmまでの、これに限定されない低抵抗値に保つことにより達成できる。抵抗器３０４は抵抗器３０２に対し並列であるため、電気接点３２２と３３２との間の低電圧ギャップ（例えば、１０kV）に対して高いバラスト電流を維持できる。
【００６４】
本開示の実施形態による抵抗器アセンブリの別の実施形態では、抵抗器３０４を除去できる。すなわち、電気接点３１６は、直接、電気接点３２２に接続でき、電気接点３１８は、直接、電気接点３３２に接続できる。そのため、第２の動作モードでは、抵抗器アセンブリ３００は電気接点３２２と３３２とを短絡させることができる。
【００６５】
本開示の実施形態による抵抗器アセンブリのさらに別の実施形態では、電気接点３１６と３２２との間、並びに、電気接点３１８と３３２との間に、多少の抵抗器を用いることができる。
【００６６】
図４Ａ及び図４Ｂは、本開示の一実施形態による、それぞれ、支持構造上の抵抗器アセンブリ４００及び注封材料中の支持構造上の抵抗器アセンブリ４００の概略図を示す。本開示の実施形態による抵抗器アセンブリの模範的な実施形態は、プリント基板を支持構造として用いて実装できる。すなわち、前記の本開示の実施形態による抵抗器アセンブリの抵抗器及びスイッチは、プリント基板上に配置できる。なお、１つ以上の抵抗器アセンブリを、本開示による一実施形態における、支持構造上に配置できる。
【００６７】
図４Ａに示すように、本開示の実施形態による抵抗器アセンブリ４００の模範的な実施形態は、抵抗器４０２、４０４及び４０６並びにスイッチ４１０を、プリント基板４２０上に配置することにより実現できる。抵抗器４０２及び４０４は、大きい抵抗（例えば、１０から２００Mohmまで）を有する抵抗器として、プリント基板４２０の２つの電気接点４１２と４１６との間に直列に接続できる。スイッチ４１０及び抵抗器４０６も２つの電気接点４１２と４１６との間に直列に接続できる。すなわち、スイッチ４１０及び抵抗器４０６は、抵抗器４０２及び４０４に対し並列にできる。スイッチ４１０は、Hellerの特許に記載されたようなスイッチとすることができる。抵抗器４０６は、スイッチ４１０に直列に接続される小さい抵抗値（例えば、５から４０Mohmまで）の抵抗器とすることができる。
【００６８】
スイッチ４１０を切ると、抵抗器４０２及び４０４を用いて、２つの電気接点４１２と４１６との間に高電圧を維持することができる。２つの抵抗器４０２及び４０４の抵抗値が大きいため、小さなバラスト電流を維持できる。しかしながら、２つの抵抗器４０２及び４０４により強い電界が維持されることがあり、抵抗器４０２及び４０４の導電性材料は、高い電界の応力のために遮蔽の必要がある。前述のように、抵抗器４０２及び４０４を遮蔽する従来の方法は、抵抗器４０２及び４０４を圧力容器に入れて、圧力容器を高誘電強度ガス（例えば、SF６）又は液体（例えば、液体シリコーン）で満たす方法である。本開示の一実施形態では、図４Ｂに示し、以下に詳細に説明するように、抵抗器アセンブリ４００を高誘電強度材料中に注封することができる。
【００６９】
スイッチ４１０を入れると、前述のように、２つの電気接点４１２と４１６との間で、抵抗器４０２及び４０４を抵抗器４０６及びスイッチ４１０に並列にできる。抵抗器４０６の抵抗値が低いため、２つの電気接点４１２と４１６との間の低い電圧差により、バラスト電流を大きめにすることができる。このような状況では、熱放散が問題になり得る。高誘電強度材料に注封された抵抗器アセンブリ４００は、熱放散を助けることもできる。
【００７０】
図４Ｂには、高誘電強度材料４０８中に注封した抵抗器アセンブリ４００を示してある。前述したように、SF６ガスで満たされた圧力タンクを排気させることは、容易な作業ではなく時間がかかる。本開示の実施形態による一実施形態では、抵抗器アセンブリ４００を高誘電強度材料４０８中に注封することができる。例えば、図４Ｂに示すように、抵抗器アセンブリ４００は高誘電強度のプラスチック材料４０８に注封することができる。高誘電強度のプラスチック材料４０８は、熱伝導性が高く、それによって、誘電ガス又は誘電液体に比べて、熱の放散を改善することができる。図４Ｂに示す実施形態では、高誘電強度のプラスチック材料４０８は、熱伝導性のエポキシ樹脂とすることができる。なお、他の適切な誘電材料を、本開示の実施形態による抵抗器アセンブリ４００を注封するために用いることができる。
【００７１】
本開示は、ここに記載された特定の実施形態による範囲に限定すべきではない。実際に、ここに記載された実施形態に加えて、他の種々の本開示の実施形態及び変更は、前述の明細書及び添付の図面から当業者には明らかであろう。従って、そのような他の実施形態及び変更は、本開示の範囲内に収まることを意味する。さらに、本開示は、特定の目的用に特定の環境で特定の実行のコンテキストでここに記載されたけれども、その有用性はそれらに限定されることなく、本開示は、任意の数の目的用に任意の数の環境で有利に実行できる。従って、以下に記載の特許請求の範囲は、ここに記載された本開示の全幅及び精神を考慮して解釈すべきである。
【図１】
2010539656.tif 000003
【図２】
2010539656.tif 000004
【図３Ａ】
2010539656.tif 000005
【図３Ｂ】
2010539656.tif 000006
【図４Ａ】
2010539656.tif 000007
【図４Ｂ】
2010539656.tif 000008
【国際調査報告】
2010539656.tif 000009
2010539656.tif 000010